(57)【要約】      （修正有）【課題】自動車運搬船の下層に位置する消火区画に接続される通風ダクトのうちＲｏＲｏ区画同士が直接隣接するひな壇形状の階段部通風ダクト内に空所（VOIDスペース）を設け、ＲｏＲｏ区画同士の直接の隣接を避け、かつ、当該通風ダクト内への防熱施工を回避することができるダクト構造を提供する。【解決手段】自動車運搬船の船首下層デッキ消火区画及び中腹下層デッキ消火区画の換気用通風ダクトｂ３であって、当該通風ダクト上面が車両積載甲板（車両デッキ）２ｃ、２ｄ、２ｅに兼用される当該通風ダクトｂ３内の前記車両積載甲板２ｃ、２ｄ、２ｅの隣接域に空所を設けてなる。【選択図】図１
2017185932.tif 000002
【特許請求の範囲】
【請求項１】
自動車運搬船の船首下層デッキ消火区画及び中腹下層デッキ消火区画の換気用通風ダクトであって、当該通風ダクト上面が車両積載甲板（車両デッキ）に兼用される当該通風ダクト内の前記車両積載甲板の隣接域に空所を設けてなることを特徴とする自動車運搬船の通風ダクト構造。
【請求項２】
当該通風ダクト上面が車両積載甲板（車両デッキ）に兼用される当該通風ダクトが、船体外板が狭まって痩せてくる区画に配置されたものであることを特徴とする請求項１に記載の自動車運搬船の通風ダクト構造。
【請求項３】
前記通風ダクト上面が車両積載甲板（車両デッキ）に兼用される隣接域形状が、ひな壇形状の階段部通風ダクトであることを特徴とする請求項１に記載の自動車運搬船の通風ダクト構造。
【発明の詳細な説明】
【技術分野】
【０００１】
本発明は、自動車運搬船の通風ダクト構造、特に、自動車運搬船(ROLL ON ROLL OFF船)における通風ダクト上面が車両甲板と兼用される階段部通風ダクト構造に関する。
【背景技術】
【０００２】
自動車運搬船等のＲｏＲｏ船(ROLL ON ROLL OFF船：自走で積載貨物が積み込み・積み降ろしされる船)は、数十層に渡る車両積載甲板（以下、「車両デッキ」ともいい、「甲板」については，単に「デッキ」ともいう。）を有し、積載車両の積み込みや積み降ろしは、積載する車両が自走して行われる。このため、各積載車両甲板には、自走車両の積載の際の排気ガス等の換気や航行中に乗組員の見回り等のため各車両積載甲板に通じる複数の通風ダクトが適宜の位置に設けられる。
【０００３】
図２、自動車運搬船の各車両甲板への通風ダクトの配置概略を示す左側断面概略図、図３は、同右側断面概略図である。
図２、図３において、符号１は、自動車運搬船、２ａ〜２ｌ（エル）は、各車両積載甲板（車両デッキ）であり、３は、上甲板、４は、機関室、Ａ−ＺＯＮＥは、船首下層デッキ消火区画、Ｂ−ＺＯＮＥは、中腹下層デッキ消火区画、Ｃ−ＺＯＮＥは、上層デッキ消火区画、ａ１〜ａ４は、前記船首下層デッキ消火区画Ａ−ＺＯＮＥ通風ダクト、ｂ１〜ｂ１３は、前記中腹下層デッキ消火区画Ｂ−ＺＯＮＥ通風ダクトである。
【０００４】
図２、図３に示すように、この種の外航自動車運搬船（ＰＣＣ）にあっては、乗り込み甲板である前記Ｎｏ．５車両甲板２ｅを基準に上層を前記上層デッキ消火区画Ｃ−ＺＯＮＥ、下層を前記船首下層デッキ消火区画Ａ−ＺＯＮＥ及び前記中腹下層デッキ消火区画Ｂ−ＺＯＮＥとして上下に消火区画が分離されることが多く、このため、下層の前記船首下層デッキ消火区画Ａ−ＺＯＮＥ及び前記中腹下層デッキ消火区画Ｂ−ＺＯＮＥに配置される車両デッキ２ａ〜２ｄには前記上甲板３まで開口される前記通風ダクトａ１〜ａ４及び通風ダクトｂ１〜ｂ１３が配置される。
【０００５】
これらの下層の前記船首下層デッキ消火区画Ａ−ＺＯＮＥ及び前記中腹下層デッキ消火区画Ｂ−ＺＯＮＥに接続される前記通風ダクトａ１〜ａ４及び通風ダクトｂ１〜ｂ１３においては、工事性の都合や所定の通風量を確保した上で、車輌積載エリアを確保するために上下にひな壇状に形成される階段部通風ダクト配置となる箇所がある。例えば、図２、図３に示される船体外板が痩せてくる前記通風ダクトｂ３又は前記通風ダクトｂ７のダクト開口部付近には、前記通風ダクト開口部に近接して泡消火ダンパーが配置されるため、前記通風ダンパｂ３、ｂ７を延設しなければならず、このとき、泡消火装置が設置される前記通風ダクトｂ３、ｂ７の上面が前記Ｎｏ．５車両積載デッキ２ｅの一部として兼用されて、ひな壇状に階段部通風ダクトとなることがある。
【０００６】
図４（ａ）（ｂ）（ｃ）は、このようなひな壇状に階段部通風ダクト配置がされる箇所の例を示す概略図であり、図４（ａ）は、通風ダクトｂ３のの開口側から見た概略図であり、図４（ｂ）は、同”Ａ”概略断面図、図４（ｃ）は、船尾方向から、当該泡消火装置設置部分を見た概略断面図である。図４（ａ）（ｂ）（ｃ）に示すように、自動車運搬船においては、前記通風ダクトｂ３又は前記通風ダクトｂ７近辺から船体外板が痩せてくる傾向があり、この区画に配置される通風ダクトは、上述するように泡消火ダンパー等を配置する場合などには、前記通風ダクトｂ３、ｂ７上面と前記Ｎｏ．５車両甲板面を兼用せざるを得ない箇所が出てくるため、当該兼用部分がひな壇形状に形成されることがある（本明細書においては、それを便宜的に「ひな壇形状の階段部」と称する。）。
【０００７】
図４（ａ）（ｂ）（ｃ）において、ｂ３は、前記船首下層デッキ消火区画Ａ−ＺＯＮＥ通風ダクト、２ｅは、Ｎｏ．５  ＣＡＲ  ＤＥＣＫ（乗り込み甲板）車両デッキ、２ｄは、一階下のＮｏ．４車両デッキ、５は、ダクト開口、６は、泡消火ダンパー、７は、内部に前記泡消火ダンパー６を含む泡消火装置、８は、前記ひな壇形状階段部である。
【０００８】
このような自動車運搬船１において、前記通風ダクトｂ３の延長部上面と前記Ｎｏ．５車両甲板２ｅが兼用される前記ひな壇形状の階段部通風ダクトについては、近年のＲｏＲｏ船「ＵＮＤ  ＡＤＲＩＹＡＴＩＫ」の船舶火災事故（２００８年）を契機に自動車運搬船等のロールオン・ロールオフ区域及び車両積載区域について、「Ｆｒｅｅｂｏａｒｄ  Ｄｅｃｋ（乗り込み甲板：Ｎｏ．５デッキ）」以下の車両デッキにおいても、消火区域の境界面となる甲板には防熱施工が義務づけられ、２０１４年７月１日以降に起工される自動車運船のＲｏＲｏ区域間を隔離する隔壁・甲板上のドア・ハッチ・通風筒・可動式ランプ・通風ダクト等について保全防熱が義務づけられるに至った（ＳＯＬＡＳ条約II・２章第９規則の改正）。
【０００９】
このような規則が適用される鋼船規則からすれば、通風ダクト配置であってもＲｏＲｏ区画として扱われ、上述するようなひな壇形状の階段部８の通風ダクトｂ３の上面と前記Ｎｏ．５車両甲板２ｅと兼用される場合には、ＲｏＲｏ区画同士が隣接することとなるため、前記通風ダクトｂ３や前記通風ダクトｂ７内への防熱施工が要求されることとなる。しかしながら、前記通風ダクトｂ３、ｂ７内への防熱施工は、防熱材等防熱そのものが車両甲板（カーゴホールド）内へ飛散し、積載する車両を毀損する（カーゴダメージ）等の可能性がある等の問題があったし、この種の狭い箇所への防熱施工の作業性は非効率的であった。
【先行技術文献】
【特許文献】
【００１０】
【特許文献１】実用新案登録第３１３８１６０号公報
【発明の概要】
【発明が解決しようとする課題】
【００１１】
そこで、自動車運搬船の下層に位置する消火区画に接続される通風ダクトのうちＲｏＲｏ区画同士が直接隣接するひな壇形状の階段部の通風ダクト内に空所（VOIDスペース）を設け、ＲｏＲｏ区画同士の直接の隣接を避け、かつ、当該通風ダクト内への防熱施工を回避することができるダクト構造を提供することを目的とする。
【課題を解決するための手段】
【００１２】
上記の課題を解決するために、本願請求項１に係る自動車運搬船の通風ダクト構造の発明は、自動車運搬船の船首下層デッキ消火区画及び中腹下層デッキ消火区画の換気用通風ダクトであって、当該通風ダクト上面が車両積載甲板（車両デッキ）に兼用される当該通風ダクト内の前記車両積載甲板の隣接域に空所を設けてなることを特徴とする。
また、本願請求項２に係る発明は、前記請求項１に記載の自動車運搬船の通風ダクト構造において、当該通風ダクト上面が車両積載甲板（車両デッキ）に兼用される当該通風ダクトが、船体外板が狭まって痩せてくる区画に配置されたものであることを特徴とする。
されに、本願請求項３に係る発明は、前記請求項１に記載の自動車運搬船の通風ダクト構造において、前記通風ダクト上面が車両積載甲板（車両デッキ）に兼用される隣接域形状が、ひな壇形状の階段部通風ダクトであることを特徴とする。
【発明の効果】
【００１３】
上記の構成としたので、本願発明は，次の効果を有する。
（１）上述するダクト内防熱施工による防熱材等の剥離飛散によるカーゴダメージに対するリスクが低減されると共に、船舶火災時の安全性向上に寄与することとなる。
（２）また、一般的狭隘箇所となる乗り込み甲板と通風ダクトの隣接区域への難易度の高い防熱施工を回避することができ、施工においても時間を要する箇所となっていた防熱施工が不要となり工期短縮に繋がる等の効果を有する。
【図面の簡単な説明】
【００１４】
【図１】図１（ａ）（ｂ）（ｃ）は、本発明に係る自動車運搬船の通風ダクト構造を実施するための一実施例である自動車運搬船の通風ダクト構造の実施例１を示す概略図であり、図４（ａ）（ｂ）に対応する。
【図２】図２、自動車運搬船の各車両甲板への通風ダクトの配置概略を示す左側断面概略図である。
【図３】図３は、同右側断面概略図である。
【図４】図４（ａ）（ｂ）（ｃ）は、ひな壇状に階段部通風ダクト配置がされる箇所の例を示す概略図である。
【発明を実施するための形態】
【００１５】
本発明に係る自動車運搬船の通風ダクト構造を実施する一実施例を図面に基づき詳細に説明する。
【実施例１】
【００１６】
図１（ａ）（ｂ）（ｃ）は、本発明に係る自動車運搬船の通風ダクト構造を実施するための一実施例である自動車運搬船の通風ダクト構造の実施例１を示す概略図であり、前述してきた図４（ａ）（ｂ）（ｃ）に対応する。すなわち、本実施例１に係る自動車運搬船の下層の前記中腹下層デッキ消火区画Ｂ−ＺＯＮＥに接続される前記通風ダクトｂ１〜ｂ１０のうち、前記乗り込み甲板２ｅと通風ダクトｂ３の上面が兼用される前記ひな壇形状の階段部８を形成する箇所の階段部通風ダクト構造の概略を示す概略図であり、図１（ａ）は、通風ダクトｂ３のの開口側から見た概略図であり、図１（ｂ）は、同”Ａ”概略断面図、図１（ｃ）は、船尾方向から、当該泡消火装置設置部分を見た概略断面図である。
【００１７】
図１（ａ）（ｂ）（ｃ）において、符号Ｖ１は、自動車運搬船の乗り込み甲板下でひな壇形状の階段部を形成する箇所の階段部通風ダクト構造における前記乗り込み甲板（Ｎｏ．５  ＣＡＲ  ＤＥＣＫ）２ｅと直接隣接する通風ダクトｂ３内部に設ける空所（ＶＯＩＤ）であり、前記通風ダクトｂ３内のＮｏ．５車両甲板である乗り込み車両デッキ２ｅに隣接する空所（ＶＯＩＤ）である。その余の符号は、図４（ａ）（ｂ）（ｃ）に示した同じ部材は同じ符号で示す。
【００１８】
図１（ａ）に示すように、本実施例１に係る自動車運搬船の通風ダクト構造においては、前記上甲板３から前記Ｃ−ＺＯＮＥを通り、前記Ｂ−ＺＯＮＥ内に開口する前記通風ダクトｂ３の前記ダクト開口部５付近は、上述するように、船体外板が痩せてくるため、この箇所に配置される前記通風ダクトｂ３又は前記通風ダクトｂ７のダクト開口部５に近接して前記泡消火ダンパー６を配置するために前記通風ダンパｂ３を延設しなければならず、このとき、前記泡消火装置７が設置される前記通風ダクトｂ３の上面が前記Ｎｏ．５車両積載デッキ２ｅの一部として兼用されて、前記ひな壇状階段部８を形成する。
【００１９】
このひな壇状階段部８は、前記乗り込み甲板２ｅ下で船体横方向に内側に屈曲し、前記乗り込み甲板２ｅとの間で区域的に直接に隣接する。かかる直接隣接箇所は、上述するように、鋼船規則によれば、ＲｏＲｏ区画として扱われ、当該ひな壇形状階段部８のダクト隣接箇所には、当該通風ダクトｂ３の内部への防熱施工が要求される。そこで、本実施例１に係る自動車運搬船の通風ダクト構造においては、当該通風ダクトｂ３内の前記乗り込み甲板２ｅと隣接する領域に前記空所（ＶＯＩＤスペース）Ｖ１を設け、当該通風ダクトｂ３内への防熱施工を回避するための構造としたものである。
【００２０】
図１（ａ）（ｂ）（ｃ）に示す本実施例１に係る自動車運搬船の通風ダクト構造においては、前記上甲板３から前記Ｃ−ＺＯＮＥを通り、前記Ｂ−ＺＯＮＥ内に開口する前記通風ダクトｂ３であって、船体外板が痩せてくる部分に前記泡消火ダンパー６を設けなければならない場合の通風ダクトｂ３を例として説明するが、これは、この通風ダクトｂ３に限るものではなく、他の船体が痩せてくる箇所における、例えば、前記通風ダクトｂ７が前記乗り込み甲板２ｅの下側に延設され、当該ダクトｂ７の上面が前記乗り込み甲板２ｅと兼用される前記ひな壇状階段部８となる箇所においても、当該通風ダクトｂ７内に空所（ＶＯＩＤ）を設けるようにしても良いものである。
【００２１】
また、このような船体が痩せてくる部分に限らず、例えば、前記通風ダクトａ１〜ａ４又は同通風ダクトｂ１〜ｂ１０がの開口部５付近に他の設置物を配置しなければならないために、これらのダクトａ１〜ａ４、ｂ１、ｂ２、ｂ４〜ｂ６又はｂ８〜ｂ１０が前記Ｎｏ．５車両甲板２ｅ下に延設され、これらの通風ダクトａ１〜ａ４、ｂ１、ｂ２、ｂ４〜ｂ６又はｂ８〜ｂ１０の上面が前記Ｎｏ．５車両積載デッキ２ｅの一部として兼用されて、前記ひな壇状階段部８を形成する場合においても、同様に、当該ひな壇状階段部８下のダクト内に前記空所（ＶＩＯＤスペース）Ｖ１を設け、当該通風ダクトａ１内への防熱施工を回避する構造としたものである。
【００２２】
このような空所Ｖ１を設けることで、自動車運搬船のＲｏＲｏ区画同士の直接の隣接を避け、通風ダクトａ１〜ａ４又は同通風ダクトｂ１〜ｂ１０内への防熱施工を回避することができるダクト構造とすることができ、その結果、ダクト内防熱施工による防熱材等の剥離飛散によるカーゴダメージに対するリスクが低減されると共に、船舶火災時の安全性向上に寄与することとなると共に、一般的狭隘箇所となる乗り込み甲板と通風ダクトの隣接区域への難易度の高い防熱施工を回避することができ、施工においても特に時間を要する箇所となっていた防熱施工が不要となり工期短縮に繋がることとなる。
【産業上の利用可能性】
【００２３】
本発明は、自動車運搬船(ROLL ON ROLL OFF船)の階段部通風ダクト構造に利用される。
【符号の説明】
【００２４】
１ 自動車運搬船
２ａ〜２ｌ 積載車両甲板（車両デッキ）
２ｅ 乗り込み甲板（Ｎｏ．５  ＣＡＲ  ＤＥＣＫ）
３ 上甲板
４ 機関室
５ ダクト開口部
６ 泡消火ダンパー
７ 泡消火装置
８ ひな壇状階段部
Ａ−ＺＯＮＥ 船首下層デッキ消火区画
Ｂ−ＺＯＮＥ 中腹下層デッキ消火区画
Ｃ−ＺＯＮＥ 上層デッキ消火区画
ａ１〜ａ４ Ａ−ＺＯＮＥ通風ダクト
ｂ１〜ｂ１３ Ｂ−ＺＯＮＥ通風ダクト
Ｖ１ 空所
【図１】
2017185932.tif 000003
【図２】
2017185932.tif 000004
【図３】
2017185932.tif 000005
【図４】
2017185932.tif 000006
【手続補正書】
【提出日】平成29年4月12日(2017.4.12)
【手続補正１】
【補正対象書類名】特許請求の範囲
【補正対象項目名】請求項１
【補正方法】変更
【補正の内容】
【請求項１】
ＲｏＲｏ消火区域に通風する自動車運搬船のの換気用通風ダクト上面が車両積載甲板（車両デッキ）に兼用され、かつ、消火区画の境界面となり、前記上面の直下の当該通風ダクト内に当該ダクト及び前記兼用甲板上の各消火区画間が直接隣接しない空所を設けてなることを特徴とする自動車運搬船の通風ダクト構造。
【手続補正２】
【補正対象書類名】明細書
【補正対象項目名】００１２
【補正方法】変更
【補正の内容】
【００１２】
上記課題を解決するために、本願請求項１に係る自動車運搬船の通風ダクト構造の発明は、ＲｏＲｏ消火区域に通風する自動車運搬船のの換気用通風ダクト上面が車両積載甲板（車両デッキ）に兼用され、かつ、消火区画の境界面となり、前記上面の直下の当該通風ダクト内に当該ダクト及び前記兼用甲板上の各消火区画間が直接隣接しない空所を設けてなることを特徴とする
また、本願請求項２に係る発明は、前記請求項１に記載の自動車運搬船の通風ダクト構造において、当該通風ダクト上面が車両積載甲板（車両デッキ）に兼用される当該通風ダクトが、船体外板が狭まって痩せてくる区画に配置されたものであることを特徴とする。
されに、本願請求項３に係る発明は、前記請求項１に記載の自動車運搬船の通風ダクト構造において、前記通風ダクト上面が車両積載甲板（車両デッキ）に兼用される隣接域形状が、ひな壇形状の階段部通風ダクトであることを特徴とする。